(57)【要約】【課題】月桃の多用な特性を生かして草履などの履物を実現するものであり、月桃を縦糸状や横糸状にしていろいろ組み合わせて編んで、多様なデザインや感触、特性を実現する。【解決手段】月桃茎の円柱状の部分を部分的又は全体的に適度に破砕乃至プレスした状態で又は非破砕の状態で縦糸状および／又は横糸状に編んでなる構成を含んでいる月桃製履物である。このように、月桃茎の円柱状の部分を部分的又は全体的に適度に破砕乃至プレスした状態又は非破砕の状態にすると、月桃茎をいろいろな使い方ができる。さらに、縦糸状および／又は横糸状に編んで草履その他の履物にすると、多種多用な履物を実現できる。【選択図】図２
0003117323.tif 000002
【実用新案登録請求の範囲】
【請求項１】
月桃茎の円柱状の部分を部分的又は全体的に適度に破砕乃至プレスした状態で又は非破砕の状態で縦糸状および／又は横糸状に編んでなる構成を含んでいることを特徴とする月桃製履物。
【請求項２】
月桃茎の円柱状の部分を前記の縦糸状にして編んでなり、履物の左右両端の位置において折り返すことによって、縦糸状部を連続させてなることを特徴とする請求項１に記載の月桃製履物。
【請求項３】
足裏の当たる部分として、月桃茎を１枚ずつ剥がして展開した展開茎を面方向に並べて又は縦糸状および／又は横糸状にして編んでなる構成を含んでいることを特徴とする月桃製履物。
【請求項４】
前記月桃製履物の外周部に、月桃茎を剥がした半円筒状の部分を被せて取付け固定してなることを特徴とする請求項１、請求項２または請求項３に記載の月桃製履物。
【請求項５】
円筒状に形成した布筒の中に、月桃茎を破砕した状態の繊維束を挿入することによって、鼻緒を形成してなることを特徴とする請求項１から請求項４までのいずれかの項に記載の月桃製履物。
【考案の詳細な説明】
【技術分野】
【０００１】
本考案は、月桃の茎を使用したぞうりなどの履物に関する。
【背景技術】
【０００２】
登録実用新案第3001997 号に記載のように、素材としてトウモロコシの苞葉を使用し、これを所望の履物形状に構成した芯材に編織して履物床表材とし、スリッパ、サンダル、草履、下駄等に使用するものであり、また表材そのものは靴の中敷として使用でき、トウモロコシの苞葉のもつ特有の縮状の繊維が足裏に適当な刺激を与える快適な履物として提供する考案が提案されている。
【特許文献１】登録実用新案第3001997 号
【考案の開示】
【考案が解決しようとする課題】
【０００３】
ところで、沖縄地方では、植物の月桃の搾汁やその抽出液が抗酸化作用、抗菌作用、消臭作用や防黴剤、防虫剤、害虫などの忌避剤などとして使用され、地場産業の活性化に寄与している。この月桃の茎は、直径が１〜２ｃｍ程度で、高さは１〜２ｍ以上もある、長くて丈夫な繊維質で出来ている。前記のようなトウモロコシの苞葉を使用した履物の場合は、トウモロコシの苞葉は軟質なため、足裏に対する刺激が少ない。
【０００４】
月桃の茎は、そのまま乾燥させて、履物の足裏の当たる部分に使用すれば、円柱状の部分が足裏の刺激に適している。また、月桃茎を部分的に又は全体的に適度に破砕して軟化させた状態にすると、折り曲げなどの加工が容易になり、しかも吸湿性に富み、足裏に対し弾力的かつソフトな感触を与え、快適である。月桃茎を１枚ずつ剥がして開いた状態にして使用すると、発水性に富み、しかも滑らかで独特の縦縞紋様が透過して見える美しい面が露出するので、独特の感触と風合い与えることができる。
【０００５】
本発明ではこのような多用な特性を生かして草履などの履物を実現するものであり、これらを縦糸状と横糸状にしていろいろ組み合わせて編むと、さらに多様なデザインや感触、特性が得られる。
【０００６】
また、従来の各種の草履類は、材料自体に防虫力や防黴力がないため、ダニなどの小虫が棲息していたり、多湿の環境では黴が生えだしたり、商品価値を損なう。これに対し、月桃は前記のように防黴抗菌作用、防虫・忌避作用が知られているため、履物を製造し保管したり履いている最中にダニや黴で商品価値や使用価値を損なう恐れはない。また、黴の一種である水虫の予防も期待でき、かつ消臭作用も相まって清潔で、履物には最適である。
【０００７】
本考案の技術的課題は、このような問題と月桃特有の長所に着目し、月桃茎の円柱状部その他の各種態様、特質をフルに生かして様々な感触、特性、デザインの履物を実現でき、かつ防虫や防黴、消臭などの機能性と相まって理想的な月桃製履物を実現することにある。
【課題を解決するための手段】
【０００８】
本考案の技術的課題は次のような手段によって解決される。請求項１は、月桃茎の円柱状の部分を部分的又は全体的に適度に破砕乃至プレスした状態で又は非破砕の状態で縦糸状および／又は横糸状に編んでなる構成を含んでいることを特徴とする月桃製履物である。履物の種類は特に限定しないが、草履や雪駄、スリッパ、サンダル、下駄などである。このように、月桃茎の円柱状の部分を部分的又は全体的に適度に破砕乃至プレスした状態又は非破砕の状態にすると、月桃茎をいろいろな使い方ができる。そして、縦糸状および／又は横糸状に編んで草履その他の履物にすると、多種多用な履物を実現できる。
【０００９】
請求項２は、月桃茎の円柱状の部分を前記の縦糸状にして編んでなり、履物の左右両端の位置において折り返すことによって、縦糸状部を連続させてなることを特徴とする請求項１に記載の月桃製履物である。このように、月桃茎を左右両端で折り返して連続させると、草履などの履物にした場合、外周部でほつれてバラバラに分解するという恐れがなく、外周の仕上げが容易になる。また、縦糸側として月桃茎をそのまま使用できるので、青竹を踏んだ場合と同様な刺激を足裏に加えることができ、しかも円柱状の月桃茎を縦糸側に使用するので、草履やサンダルにした場合の前後方向の柔軟性を妨げず、容易に曲がりうる履き心地のよい履物を実現できる。
【００１０】
請求項３は、足裏の当たる部分として、月桃茎を１枚ずつ剥がして展開した展開茎を面方向に並べて又は縦糸状部および／又は横糸状にして編んでなることを特徴とする月桃製履物である。このように、足裏の当たる部分として、月桃茎を１枚ずつ剥がして展開した展開茎を面方向に並べて又は縦糸状および／又は横糸状にして編んでなる構成は、弾力性には劣るが、月桃特有の材質の風合いをデザインとして生かすことができる。また、吸湿性は劣るが、発水性の有る、すべすべした感触が楽しめ、夏向きの履物を実現できる。
【００１１】
請求項４は、前記月桃製履物の外周部に、月桃茎を剥がした半円筒状の部分を被せて取付け固定してなることを特徴とする請求項１、請求項２または請求項３に記載の月桃製履物である。このように、前記月桃製履物の外周部に、月桃茎を剥がした半円筒状の部分を被せて取付け固定してあるため、履物の外周部に他の材質の布やシートを被せるのでなく、月桃茎自体を剥がして被せるので、全体を月桃製にでき、違和感がない。また、１枚ずつ剥がした月桃茎は半円筒状をしているので、月桃製草履状の部分の外周部に被せるのに最適な形状をしている。この月桃茎皮を裏返した状態で接着することも可能である。なお、この半円筒状部の内部に予め合成樹脂製ホースを半円筒状に２分割して被せることで、強度を補強するのが望ましい。
【００１２】
請求項５は、円筒状に形成した布筒の中に、月桃茎を適度に破砕した状態の繊維束を挿入することによって、鼻緒を形成してなることを特徴とする請求項１から請求項４までのいずれかの項に記載の月桃製履物である。前記の繊維束には、小さく分割された繊維束も含まれる。月桃茎をそのまま叩いて適度に破砕すると、１本の月桃茎としてまとまった状態となり、繊維が分離分散することはないため、取り扱いが簡便となる。したがって、請求項５のように、円筒状に形成した布筒の中に、月桃茎を適度に破砕した状態のまま挿入することによって鼻緒を形成すると、鼻緒の製造が容易になる。しかも、内部に月桃茎が入っているで、防虫、防黴性に富んだ鼻緒を実現できる。
【考案の効果】
【００１３】
請求項１のように、月桃茎の円柱状の部分を部分的又は全体的に適度に破砕乃至プレスした状態又は非破砕の状態にすると、月桃茎をいろいろな使い方がてきる。そして、縦糸状および／又は横糸状に編んで草履その他の履物にすると、多種多用な履物を実現できる。
【００１４】
請求項２のように、月桃茎を左右両端で折り返して連続させると、草履などの履物にした場合、外周部でほつれてバラバラに分解するという恐れがなく、外周の仕上げが容易になる。また、縦糸側として月桃茎をそのまま使用できるので、青竹を踏んだ場合と同様な刺激を足裏に加えることができ、しかも円柱状の月桃茎を縦糸側に使用するので、草履やサンダルにした場合の前後方向の柔軟性を妨げず、容易に曲がりうる履き心地のよい履物を実現できる。
【００１５】
請求項３のように、足裏の当たる部分として、月桃茎を１枚ずつ剥がして展開した展開茎を面方向に並べて又は前記の縦糸状および／又は横糸状部として編んでなる構成は、弾力性には劣るが、月桃特有の材質の風合いをデザインとして生かすことができる。また、吸湿性も劣るが、発水性の有る、すべすべした感触が楽しめ、夏向きの履物を実現できる。
【００１６】
請求項４のように、前記月桃製履物の外周部に、月桃茎を剥がした半円筒状の部分を被せて取付け固定してあるため、履物の外周部に他の材質の布やシートを被せるのでなく、月桃茎自体を剥がして被せるので、全体を月桃製にでき、違和感がない。また、１枚ずつ剥がした月桃茎は半円筒状をしているので、月桃製草履状の部分の外周部に被せるのに最適な形状をしている。
【００１７】
月桃茎をそのまま叩いて適度に破砕すると、１本の月桃茎としてまとまった状態となり、繊維が分離分散することはないため、取り扱いが簡便となる。したがって、請求項５のように、円筒状に形成した布筒の中に、月桃茎を適度に破砕した状態の繊維束を挿入することによって鼻緒を形成すると、鼻緒の製造が容易になる。しかも、内部に月桃茎が入っているので、消臭作用や防虫、防黴性に富んだ鼻緒を実現できる。
【考案を実施するための最良の形態】
【００１８】
次に本考案による月桃製履物が実際上どのように具体化されるか実施形態を説明する。図１（１）は１本の月桃の生えている状態を示す斜視図であり、茎部１の上端から５〜６枚の葉２が出ている。（２）は、茎部１の水平断面図であり、キャベツの断面のように、三日月状の茎皮３…が中心部を幾重にも交互に取り囲んでいる。それぞれの茎皮３の上端に葉２が着いている。したがって、最も下側の葉２を剥がすと、最も外側の茎皮３を上部から下側に向かって剥がしていくことができる。下側から２枚目、次いで３枚目を剥がすと、次第に内側の茎皮３…が剥がされていく。（３）図は、こうして剥がした１枚の茎皮３ａであり、三日月状又はＣ字状の断面形状をしている。
【００１９】
本発明では、このような月桃を加工ないし処理して用いる。すなわち、ａ．前記の月桃を根元から刈り取って、円柱状の茎部１をそのまま乾燥させて用いる。ｂ．茎部１を生の柔らかい状態で小槌などで叩いて繊維束状態とし、茎部１本分の一束状の長い繊維束の状態で編んだり、鼻緒などに使用する。ｃ．円柱状の茎部１を、曲げたり変形させたりする部分だけを叩いたりプレスして軟化させる。ｄ．前記ｂ．のような繊維状態の一束では大き過ぎたりする場合は、一束を分割して、小さな繊維束として用いる。
【００２０】
図２は、前記ａ．のように乾燥させた円柱状の茎部をそのまま用いる実施形態であり、図２（１）のように、複数本の円柱状の乾燥茎部４を互いに平行状態に並べた状態にして草履などの履物にする。（１）図のＡ−Ａ位置を断面で示すと（２）図のようになる。すなわち、前記ｂ．やｄ．のような月桃繊維束の大小の束５を各乾燥茎部４に１本ずつ交互に編んでいく。布を織る場合と同じ原理であり、硬い月桃茎４が縦糸側、月桃繊維５が横糸側である。なお、月桃繊維５は、拡げた状態で編んでもよい。
【００２１】
（１）図では、隣接する繊維束５…の間隔が開いているが、もっと接近させて密に編んでもよい。あるいは、繊維束５…の幅をもっと拡げて、隣接する繊維束５…同士を接近させてもよい。隣接する乾燥茎部４…の間隔も密にしたり、離したりできる。なお、図２（１）のように、草履の幅Ｗのサイズにカットした短い乾燥茎部４を用いて編んでもよいが、予め図１のような長い月桃茎部１と同等の大型サイズを編んでから、草履のサイズ（Ｗ×Ｌ）にカットしてもよい。あるいは、図３（１）（２）のように、長い月桃茎を乾燥させて幅Ｗの長さに折り曲げ、ジグジザ状に連続した縦糸状にすると、外周からほつれる恐れはない。
【００２２】
結局、図２（１）の状態では、草履の外周部がほつれていき、分解して使用不能なため、外周部を強固に仕上げる必要がある。（３）は、（１）図のＢ−Ｂ断面図であり、草履状部の外周部に図１（３）の三日月状の茎皮３ａを生の状態で又は乾燥させた状態で被せて、接着剤６で接着してある。なお、月桃の三日月状の茎皮３ａは容易に裂ける恐れがあるので、合成樹脂ホースを併用するのが好ましい。例えば、導水ホースを縦に割って、半円筒状に形成する。そして、半円筒状すなわちＣ字状の部分７を草履外周部に被せて、接着剤６で接着する。そして、その上に月桃の三日月状の茎皮３ａを被せて接着し、樹脂ホース７を隠して、月桃の外観にする。すなわち、二重構造にする。（４）は、こうして草履外周部に半円筒状ないしＣ字状の部分３ａを被せて仕上げた状態の平面図である。
【００２３】
これに対し図３の場合は、外周部がほつれ難いので、必ずしもＣ字状茎皮３ａを被せる必要がない。すなわち、図３（１）（２）の場合は、長い月桃茎１を乾燥させて幅Ｗの長さに折り曲げて、連続した縦糸状４にする。したがって、外周からほつれる恐れはなく、強度的にも優れている。この場合、幅Ｗの間隔で部分的に月桃茎をプレスしたり叩いたりしておくと、折り曲げて容易に折り返すことができる。したがって、円柱状茎４と繊維束５を一編みしては円柱状茎４を折り返して繊維束５を編むという操作を繰り返して、草履状に編み上げる。なお、前後方向の長さＬの草履において、前端と後端の縦糸状部４のみ、幅Ｗより短くしてもよい。
【００２４】
図３（１）の横糸側５、４ｓも繊維束ではなく、円柱状の月桃茎４をそのままの状態で編んで、縦横全体を月桃茎４で構成してもよい。
【００２５】
逆に、円柱状の月桃茎４に代えて、図３（３）のような繊維束４ｓや前記繊維束５…を編み込んでもよい。このように、縦糸側も繊維束５…、４ｓとすることで、縦横全体を繊維束で構成することもでき、弾力性に富むだけでなく、吸湿性も良いので、汗を吸い取ったり水虫の足に適する。なお、図３（３）は、図１（１）の円柱状の月桃茎を通常は生の状態で小槌などで叩いたりして繊維束状態にし、乾燥させたものである。したがって、束状にまとまっていて、編み込み易いという利点もある。また、軟質な繊維状態なため、容易に曲げたり折り返したりでき、縦糸状又は横糸状に編み込み易い。
【００２６】
円柱状の月桃茎や繊維束の状態以外に、図１（３）のような三日月状の茎皮３ａで編むこともできる。すなわち、図１（３）のように、月桃茎を剥がした１枚の茎皮３ａは三日月状の断面形状をしているが、これを押し拡げてアイロンをかけるような要領で平坦化できる。こうして平に押し広げた月桃茎皮を隙間無く拡げて、軟質のゴム板や木質の板などに接着剤などで貼り付けたり、図２、図３の縦糸側や横糸側に用いると、美しい月桃茎皮の面を観賞し楽しむことができる。このとき、月桃茎皮の内面側を表向きにするのもよい。使用に際しては、草履やスリッパ、サンダル、下駄などの足裏と接する面に取付け固定しておく。月桃の繊維は露出しないので、足裏の湿気を吸湿する作用は劣り、むしろ水分を弾く作用をするが、月桃特有の趣を楽しむことができる。
【００２７】
図４（１）は、平に押し広げた月桃茎皮８を縦糸側と横糸側にして編み込んだ状態の平面図であり、草履やスリッパ、サンダル、下駄などの上面に重ねて固定して使用するとよい。このように縦横に編み込んだ状態、又は前記のように展開茎を並べて又は部分的に重ねてなる領域の下側に、図２、図３のように月桃茎の円柱状の部分４を平行状態に並べた部分を重ねると、展開茎を介して月桃茎の円柱状部４による刺激を足裏に与えることができる。この場合は、円柱状部４は外に露出しないので、その編み方は任意で足りる。
【００２８】
また、図４（２）のように、繊維束４ｓの上に押し広げた月桃茎皮８を重ねて、縦糸側又は横糸側として編み込むと、弾力に富んだ履物となる。あるいは、図２、図３における月桃繊維束５、４ｓに代えて、押し広げた月桃茎皮８を用いて円柱状茎部４を編むこともできる。
【００２９】
以上をまとめると、次の通りである。
１．円柱状の月桃の乾燥茎をそのまま用いて、縦糸側および／又は横糸側に草履状に編み込む。
２．円柱状の茎を適度に叩いて茎を多少軟化させて又は繊維を露出させた繊維束を縦糸側および／又は横糸側に編み込んで草履状に形成する。
３．茎を１枚ずつ剥いで拡げた状態で、縦糸側および／又は横糸側に編み込んで草履状に形成する。前記２．の叩いた月桃茎や繊維束に重ねて編み込んでもよい。
４．前記３．のような押し広げた茎皮又は前記２．のような繊維束と前記１．のような円柱状の月桃茎とを縦横に編み込んで草履状に形成する。
【００３０】
次に、縦糸側又は横糸側の本数は複数本でもよい。図２、図３は、円柱状の乾燥茎部４を１本ずつ編んでいるのに対し、図５の場合は、縦糸側４として、円柱状茎を２本ずつ用いて編んである。なお、横糸側も繊維束５、４ｓを複数本ずつ編むこともできる。
【００３１】
図２（４）には、草履の鼻緒９を示してあるが、この鼻緒９も、月桃繊維を用いることができる。この場合は、図３（２）のように１本の長い茎部を小槌などで叩いて軟化させた繊維束４ｓを、布で形成した筒の中に挿入することによって形成するのが適している。その結果、布筒を介して内部の月桃繊維の部分に汗などの水分を吸湿できる。また、内部の月桃繊維束は、防虫、防カビ、消臭などの機能性を発揮できる。布筒を形成する布としては、浴衣生地や沖縄の紅型や絣、紬などの生地などを用いるのが適している。なお、月桃の繊維束４ｓを縄のようになうことで鼻緒を形成してもよい。このとき、月桃繊維束４ｓと浴衣生地や紅型生地などの布とをなうことも可能である。
【００３２】
以上の実施形態において、踵側は厚めに形成すると、履きやすくなる。また、草履の裏側で鼻緒を結んで固定したりする処理が必要であるが、このような処理部が突出しないように、その回りの部分を厚めに形成するのがよい。そのためにも、前記の縦糸側として月桃茎を複数本編み込むことによって、踵側を厚めに形成するのがよい。なお、接地面の磨耗を抑制して寿命を高めるために、耐磨耗性のラバーや合成樹脂シートなどを裏面に接着したり、ゴムや合成樹脂を吹き付けて一体化することもできる。
【００３３】
以上の実施形態は、月桃を用いて草履を製造した例であるが、図２〜図５のように製造した草履を下駄などの台の上に重ねて接着その他の手法で取付け固定したり、任意の厚さの皮や合成樹脂板、竹板、木板などの台に重ねて取付け固定することで、スリッパやサンダルなど、いろいろな履物に適用し、月桃履物を実現できる。
【産業上の利用可能性】
【００３４】
以上のように、本発明によると月桃の円柱状の茎や茎を適度に叩いて茎を多少軟化させたり繊維束にしたり、茎を１枚ずつ剥いで拡げた状態で、縦糸側や横糸側に編み込んで草履状に形成したりして、総ての履物に適用することで、防虫や防黴、消臭などの機能性を生かした月桃製履物を実現でき、清潔で衛生的な履物を提供でき、水虫予防にも好適である。
【図面の簡単な説明】
【００３５】
【図１】１本の月桃の生えている状態と断面形状を示す図である。
【図２】月桃の円柱状の乾燥茎部を用いて造った草履を示す図である。
【図３】円柱状の月桃茎を編んだ実施形態と１本の月桃茎を叩いてなる繊維束を示す図である。
【図４】平に押し広げた月桃茎皮を縦横に編んだ状態の平面図と、繊維束の上に押し広げた月桃茎皮を重ねた状態の縦断面図である。
【図５】縦糸状の月桃茎を複数本にした実施形態を示す断面図である。
【符号の説明】
【００３６】
１  生えている月桃の茎部
２  葉
３  三日月状の茎皮
４  円柱状の乾燥茎部
４ｓ  円柱状部を叩いた繊維束
５  月桃繊維の束
６  接着剤
７  Ｃ字状の部分  
８  平に押し広げた月桃茎皮
９  鼻緒
【図１】
0003117323.tif 000003
【図２】
0003117323.tif 000004
【図３】
0003117323.tif 000005
【図４】
0003117323.tif 000006
【図５】
0003117323.tif 000007